(57)【特許請求の範囲】
【請求項１】
内部に噴射する液状物質と高圧の噴射剤を充填する耐圧性の密封容器の開口部に噴射管と噴射ヘッド部とを設けてなる円筒状をしたエアゾール容器であって、前記開口部に突設した噴射管を押し下げて開口噴射せしめる押圧操作部材が、容器本体の開口部に嵌合固定されてなる円筒状の支持枠体に進退可能に係合されて噴射ヘッド部を形成して、前記押圧操作部材は、噴射管と嵌合する開口部を有するお椀状の球面部材の周縁部に環状の平坦な押圧作動面を連接し、該押圧作動面に係合筒状部を垂設させた押圧下面部材と、該押圧下面部材の球面に重ね合わさると共にその間に噴射路を形成する球面状をした押圧上面部材とから構成されていて、前記押圧下面部材は、球面部材の底部中央に噴射管に嵌合可能な開口部が形成されると共に、球面上には該開口部に連通した噴射路を形成する複数本の凹状溝が等間隔で形成されていて、また、前記押圧上面部材は、下面部材の球面に重ね合わさる球面部の縁部に環状溝と該環状溝に連通した複数の噴射口が等間隔で形成された嵌合部が設けられていることを特徴とする自動噴射可能なエアゾール容器。
【請求項２】
前記押圧操作部材の下面部材に垂設した係合筒状部には、支持枠体の係合筒部の係合凹部に係合する係合凸部が形成されており、前記円筒状の支持枠体は、容器本体の環状の係合突部に嵌合する嵌合筒部と蓋体を嵌合する嵌合筒部と押圧操作部材を係止する係合筒部とを段状に連設した外側円筒体の内側に、容器本体の開口部の巻き締め部に嵌合する嵌合溝を設けた内側円筒体を外側円筒体の係合筒部に連結した二重の円筒体に構成され、且つ、前記係合筒部には、押圧操作部材の係合筒状部の先端部を係合する係合凹部が形成されていることを特徴とする請求項１に記載する自動噴射可能なエアゾール容器。
【発明の詳細な説明】
【０００１】
【発明の属する技術分野】
本願の発明は、容器内に充填した種々の液状物質を霧状にして噴射するためのエアゾール容器、特に、ゴキブリや白蟻、ダニその他の家屋内に侵入した害虫を駆除するために、必要とする時間だけ連続して殺虫剤を自動的に噴霧するのに適したエアゾール容器に関するものである。
【０００２】
【従来の技術】
ゴキブリやノミ、ダニ等の屋内害虫に対する駆除方法として、駆除する害虫に対して殺虫効果のある薬剤を直接あるいは間接的に噴霧する方法が採られており、従来から使用されてきたものとしては、バルサン（商標登録）やアースレット（商標登録）等の名称で広く一般に知られている、殺虫剤を缶詰状をした容器に密封包装した燻烝形式の殺虫剤入り容器が用いられてきた。
これらの殺虫剤入りの容器は密閉状態にした室内等に於いて、該容器の蓋体を開封した後で発煙せしめるか、あるいは、容器の蓋体を開封したものに水を添加して気化反応せしめるかして、発生した殺虫剤の煙で密室内を充満させて燻烝することにより殺虫する方法を採用したものである。
【０００３】
しかし、密閉された室内でこれらを用いるには、気化した煙を人や犬、猫等の動物がある一定量以上を吸引すると生命に危険を伴うので、使用に伴う煙の発生に際しては、室外に避難する等の厳重な注意が必要である。
また、これらの形式の容器では燻烝を途中で中止することは不可能であるので、開封した容器の殺虫剤の成分は最後まで使い切らなくてはならないので、害虫を駆除すべき空間が小さい場合には無駄になることがあった。
【０００４】
そこで、このような欠点を無くして、害虫の駆除が必要な時に、駆除すべき場所で必要なだけ随時噴霧可能にしたものとして、特開平６−２８４８４６号や特開平８−２６９２４号公報等に見るように、密封容器に殺虫剤と高圧の噴射剤とを封入したスプレー式の殺虫用エアゾール容器がある。
これらは、害虫の駆除には大きな作用を発揮して、充分な防虫効果が持続できると共に、人類に対しては、毒性や環境汚染性等の面での危険性が無くて、人々が直接または間接的に接触しても問題にならず、安全で且つ手軽に使用することができるという点から一般に広く使用されている。
【０００５】
しかし、これらのスプレー式の殺虫用エアゾール容器を用いて害虫を駆除するには、人がエアゾール容器を直接手に持って噴霧操作を行わなければならないので、駆除作業中はスプレーのノズルヘッドを常時押圧しつづけて殺虫剤を噴射しなければならず、例え人体にとって無害だとは言っても、一定時間以上このような殺虫剤の臭いを嗅ぎつづけると、不愉快に感じて気分を悪くする人がでることがある。
【０００６】
そこで、上記したような殺虫方法に代わるものとして、殺虫剤が人体に有害、無害なものに関係なしに人手に頼らずに連続して噴射可能で、且つ、噴射中であっても途中で、殺虫剤の噴射を自由に停止することが可能である殺虫剤入りの噴霧容器が求められるようになり、その一例として特開平７−２２８５０３号公報に見るような、手動式の開閉バルブを備えた耐圧ボンベ型をした殺虫剤入りの噴霧容器が開発されている。
【０００７】
上記殺虫剤入りの噴霧容器は、図５に示すように、高圧ガス用のボンベの形に類似した耐圧容器の本体２１と、該耐圧容器の内部と外部とを連通させるように容器本体の口部に装着した注出用の内管２２と、該内管の外側に空間ｐを設けて内管を覆うように接合した外管２３とから構成されていて、前記内管の外側端部には、回転可能なハンドル２４とこれに連結した開閉弁を設けた弁座部分２５に突設した噴射口２６とが設けられると共に、前記内管２２の容器内側部分には、その先端部に開口部２２ａが、また、該先端部よりやや上の部分に内管の内部に通ずる連通孔２２ｂが設けられており、更に、前記外管２３には、前記空間ｐに通ずる連通孔２３ａが設けられてエアゾール容器が構成されたものである。
【０００８】
上記のような構成にしたエアゾール容器は、前記ハンドル２４を操作して開閉弁を開いた状態にしてから内部に必要とする殺虫剤等ｆを注入した後、加圧噴射剤となる液化した炭酸ガスやフロンガス、石油ガス等ｇを充填してから開閉弁を閉じて殺虫剤等の噴霧が可能なエアゾール製品となす。
このよう構成にした殺虫剤等の噴霧容器は、殺虫駆除を必要とする場所に運ばれた後、該容器を適正に設置してからハンドル４を捻じって弁を開くと、噴射剤の圧力により殺虫剤は噴射口から連続して噴霧することができて、また、弁が閉じる方向へハンドルを捻じることにより何時でも噴霧を中止することができる。
【０００９】
上記のような殺虫剤等のエアゾール式噴霧容器は、連続噴霧と噴霧の中止が自由に選択可能にしたものではあり、また、内容液の詰め替えも可能であるが、しかし、その反面で容器の製造コストが高くつき、また、容器本体の形状を片手で持てる程度の小型に成形するのが困難であり、やや大きくて重いものにならざるを得ないので、大きなビル等に適用する大容量の噴霧容器には適しているが、一般家庭向け等の小容量の噴霧容器としては不向きである。
【００１０】
【発明が解決しようとする課題】
本願の発明は、上記したような種々の問題を解決して、殺虫剤や防臭剤、あるいは芳香剤等の液状物質を耐圧性の密閉容器内に充填したエアゾール容器に於いて、前記液状物質を霧状に連続して自動的に噴霧することができるようにすると共に、必要に応じて液状物質の噴霧を中断することができるようにして、且つ、該容器の不正開封を防止することができるようにした、小型で軽量なエアゾール容器を安価に提供することを目的とするものである。
【００１１】
【課題を解決するための手段】
本願の発明は、耐圧性の密封容器内に液状の噴射物質と噴射用の高圧ガスとを充填すると共に、該密封容器の開口部に設けられた噴射管の噴射ノズル部分を押圧操作することにより噴射管の噴射弁を開いて、前記容器内の容液を噴射せしめるように構成したスプレー式のエアゾール容器に於いて、前記噴射管には、その下端部に噴射弁筺を介して吸引管等の吸引口を設けて、また、該噴射管の上端部には噴射弁を開くように噴射管を押し下げるための押圧操作部材を装着することにより噴射ノズル部を形成して、更に、前記噴射ノズル部には、不用意に噴射管を押し下げるのを防止するための蓋体を被着して、該蓋体を容器本体の係止部に嵌着してエアゾール容器を構成する。
【００１２】
前記押圧操作部材は、お碗状に湾曲した球面部材を重ね合わせた構造に形成して、前記下側球面部材には、その底部中央に噴射管と嵌合する開口部を設けると共に内部表面上に凹溝を設けて、上側球面部材との間に噴射通路を形成し、また、上側球面部材が下側球面部材の周縁部に連結される部分には環状溝を設けると共に該環状溝に連通する噴射口を上側球面部材の縁部に適当な数だけ設けて噴射ノズル部を形成して、更に、前記下側球面部材の外周縁部に、環状の平坦な押圧作動面を設けると共に、前記押圧作動面の外周端から支持枠体の筒状支持部に係合する円筒部を垂設したものを、エアゾール容器本体に設けた支持枠体の円筒支持部に係合せしめて、前記押圧作動面を押圧することにより噴射管を下方へ押し下げることにより、前記噴射管が噴射状態に保持されるようにした押圧操作部材を構成する。
【００１３】
【作用】
本願の発明は、耐圧性の密封容器本体２の開口部３に設けた噴射管４と該噴射管を押し下げる押圧操作部材５とを設けて噴射ヘッド部を形成してなるスプレー式の液体注出容器に於いて、噴射ヘッド部を形成する押圧操作部材５を取り除いた状態にして、前記密封容器内に液状の噴射物質を充填すると共に、容器内を高圧状態に保つ噴射剤を充填した後、下部押圧部材６の球面部６ａの底部中央に設けた開口部６ｅが前記噴射管４の先端に嵌合するように前記押圧操作部材５を被着せしめると共に、前記下部押圧部材６の係合円筒部６ｃが支持枠体８の筒状支持部８ａに係止するように係合して、前記押圧操作部材５の押圧作用により噴射管４が押し下げられて、噴射状態の位置に保持できるようにしたエアゾール容器１を構成する。
【００１４】
このようにして構成されたエアゾール容器１に対して、前記噴射ヘッド部が不用意に押し下げられるのを防止する円筒状の蓋体９を、前記押圧操作部材５に被着せしめると共に、該押圧操作部材を係止して容器本体に嵌合、保持された筒状の支持枠体８に嵌合、固定せしめて、エアゾール容器の噴射ヘッド部を保護すると共に、不用意に内容液が噴射するのを防止するようにして包装製品となす。
【００１５】
このように構成されたエアゾール容器１を使用するには、包装を解いてから蓋体９を取り除いた後、前記押圧操作部材５を押し下げると、前記支持枠体８の筒状支持部８ａに係合されていた下部押圧部材６の円筒部６ｃの先端が、支持枠体の係止部を越えて押し下げられて、円筒部の先端の係止突部が支持枠体の係止部の下に固定されて、噴射管４はその先端を押し下げられて噴射状態に保持されるので、容器内の内容液は噴射剤の圧力により勢い良く噴射される。
【００１６】
【実施例】
以下に、本願発明について、最適な一つの実施例に基づいて、図面を参照しつつ詳細に説明する。
本願の発明は、図１に示すように、耐圧性密封容器の開口部３に、噴射管４を上下方向に摺動可能に保持するように突設した開口筒状体３ａを巻き締めて固定してエアゾール容器本体２を形成すると共に、該容器本体の肩部２ａに、押圧操作部材５からなる噴射ヘッド部を係合、保持するための円筒状の支持枠体８を嵌合、固定する突起を形成して、該支持枠体８に、前記噴射管４を押し下げるための押圧操作部材５を押圧可能に係止すると共に、前記押圧操作部材を保護する蓋体９を嵌着して、エアゾール容器１を構成したものである。
【００１７】
前記押圧操作部材５は、図２及び４に示されるように、お碗状をした半球面部６ａの周縁部に環状の平坦な押圧作動面６ｂと係合筒状部６ｃとを連接した押圧部下面部材６と、該押圧部下面部材の半球面部６ａに重畳されると共に、該半球面部の突出縁部６ｄに嵌合、固定するように形成した半球面状をした押圧部上面部材７とから構成されていて、前記噴射管４に前記押圧操作部材５を押圧可能に嵌合して噴射ヘッド部を形成する。
【００１８】
このような噴射ヘッド部は、具体的には図１及び２に示すように、上記押圧部の下部押圧部材６は、お碗状をした球面部６ａの底面中央部には、容器本体２に設けられた噴射管４に押圧可能に嵌合する開口部６ｅが設けられると共に、前記球面部には噴射路となる凹状溝６ｆを設けられてなる半球面状をした部材からなり、更に、該半球面状部の突出した縁部６ｄの外側の外周面に、環状の平坦な押圧作動面６ｂを形成すると共に、該押圧作動面の外周端部に筒状側壁６ｃを垂設して、容器本体２に嵌合した支持枠体８の筒状支持部８ａに係合するように係止部が形成されている。
【００１９】
同様に、前記押圧部上面部材７は、前記押圧部下面部材６の球面部６ａの内周面に合致するように形成した半球面状部材７ａの周縁部に、前記下面部材の半球面部の突出した周縁６ｄに嵌合する嵌合部７ｂを設けると共に、該嵌合部には前記凹状溝６ｆ端部に連通した環状の噴射路７ｃと該噴射路に連通する噴射孔７ｄを設けて形成されている。
【００２０】
上記のように形成された押圧上面部材７の半球面状部材７ａを押圧下面部材６の球面部６ａに重畳すると共に、該下面部材６の球面部６ａの突出した縁部６ｄに前記上面部材７の嵌合部７ｂを嵌合せしめて、図３に見るように一体化すると、両球面部の間には容器本体の噴射管４の開口端から前記噴射孔７ｄに連通する噴射溝６ｆからなる噴射炉が形成されて押圧操作部材５が構成される。
【００２１】
一方、エアゾール容器本体２の開口部に嵌合、固定されて、押圧操作部材５を係合して支持する支持枠体８は、図１及び図４に示すような構造をした円筒体で構成されている。
即ち、容器本体２の肩部に設けられた環状の係合突部２ａに嵌合する嵌合筒部８ｃと、それに連続した蓋体嵌合筒部８ｂと押圧操作部材５が係止する係合筒部８ａとが段状に形成された外側円筒体８１と、該外側円筒体の内側に、容器本体２の開口部３の巻き締め部３ｂに嵌合する嵌合溝８ｄを設けた内側円筒体８２を外側円筒体の係合筒部８ａの内面に連結して形成されて、概略段状をした二重の円筒体に構成されている。
そして、前記外側円筒体８１の係合筒部８ａには、押圧下面部材６の係合筒状体６ｃの先端部に形成された係合凸部を係止する係合凹部が形成されている。
【００２２】
このような構造にした支持枠体８を嵌合、固定してなるエアゾール容器本体２に、前記したように構成した押圧操作部材５を嵌着するには、該押圧操作部材５の下部押圧部材６の球面部６ａの底部中央の開口部６ｅを前記容器本体２の噴射管４に合わせて押し下げると、該下部押圧部材６の係合筒状体６ｃが前記支持枠体８の円筒支持部８ａに係合せしめることができる。
そして、前記押圧操作部材５の係合筒状体６ｃの先端部に形成された係合凸部が円筒支持部８ａの係合凹部に係止されて、エアゾール容器１の噴射ヘッド部が形成される。
【００２３】
上記のようにして噴射ヘッド部を形成した押圧操作部材５は、エアゾール容器１の開口筒状体３ｂから突出した噴射管４を保護すると共に、使用する際に前記噴射管を押し下げる作用と、噴射ヘッドのノズルを噴射状態に保つ作用を兼ねたものである。
【００２４】
そこで、液状の噴射物質が充填されたエアゾール容器１を噴霧させて使用するに際しては、包装された容器の外装紙等を取り除いてから噴射ヘッド部を覆っている蓋体９を外して、該エアゾール容器１を殺虫駆除等を行う場所の適当なところに置いてから、押圧操作部材５の押圧作動面６ｂに指先を押し当てた状態で下方へ強く押し込むと、押圧操作部材５の球面部６ａの底部が噴射管４を押し下げながら、その係合筒状体６ｃの先端の係合凸部は円筒支持部８ａの係合凹部を乗り越えた所で停止する。
【００２５】
このようにして、押圧操作部材５で噴射管４が押し下げられると、容器内の噴射物質は噴射管４の開口部から勢い良く吹き出されて、押圧操作部材５内の噴射溝６ｆを通って噴射路７ｃへと導かれた後、噴射ヘッド部の噴射孔７ｄから外気中に噴霧されるが、前記係合筒状体６ｃの先端の係合凸部が円筒支持部８ａの係合凹部下に係止して、押圧操作部材５は押し下げられた位置に停止したままであるから、噴射物質は噴射孔７ｄから連続して噴霧される状態に保たれる。
【００２６】
従って、本願発明に於いては、上記のようにして押圧操作部材５を押し下げられると、内容液が霧状になって勢い良く噴射されるので、エアゾール容器１から手を離して素早く退避しなければならない。
しかし、本願発明の押圧操作部材５から手を離して安全な場所に退避しても、押圧操作部材５が噴射管４を押し下げたままの位置で保持されているので、元の位置に戻ることもなくて、そのままの状態で噴霧を続けさせることができる。
【００２７】
そして、殺虫駆除や消毒等を行う場所や条件によっては、人が立ち入って作業することが困難な所もあるが、そのような場合でも、本願の発明ような構成をしたエアゾール容器１を用いれば、押圧操作部材５を押し下げたままにして投げ込むことにより殺虫駆除等を行うことが可能である。
また、場合によっては、途中で噴霧を中止したい場合もあるが、そのような時には、押圧操作部材５を上方へ強く押し上げて後退させることにより、噴射管４が元の位置に復帰するので、内容液の噴霧を途中で停止させることができて、エアゾール容器に収容されている溶液を無駄に噴霧させる必要が無い。
【００２８】
以上、説明したように、本願の発明は、エアゾール容器に於ける噴射ヘッド部を、容器の開口部に摺動可能に設けた噴射管と該噴射管を押圧する別体の押圧操作部材とから噴射ヘッド部を構成すると共に、該押圧操作部材を容器本体に設けた支持枠体８に押圧進退が可能な係合構造にして、前記支持枠体に蓋体を嵌合せしめてエアゾール容器としたので、殺虫剤等による燻烝に限らず、色々な香料やハーブ等の精神安定作用を有する芳香剤あるいは消臭材等を必要な時間連続して噴射が可能であり、また、内容物質を必要な量だけ噴射したところで停止することも可能である。
【００２９】
【発明の効果】
本願発明のエアゾール容器は、内容液を自動的に連続して噴射することができると同時に、必要に応じて随時噴射を中止することができるので、内容液を必要以上に無駄に使い捨てすることがない。
また、人が立ち入ることが困難な場所でも使用することができるので、毒性の強い殺虫剤を用いた噴霧あるいは燻烝するのに適している。
【図面の簡単な説明】
【図１】本願発明のエアゾール容器の部分断面を示す図である。
【図２】本願発明の噴射ヘッド部を示す分解図である。
【図３】本願発明の噴射ヘッド部を示す平面図である。
【図４】本願発明のエアゾール容器に於いて噴射を開始させる図である。
【図５】噴射を途中で停止が可能な従来のエアゾール容器を示す図である。
１．  エアゾール容器
２．  容器本体
２ａ．肩部の突起
３．  容器開口部
３ａ．開口筒状体
３ｂ．巻き締め部
４．  噴射ノズル
５．  噴射ヘッド
６．  下部押圧部材
６ｂ．押圧作動面
６ｆ．凹状溝
７．  上部押圧部材
７ｄ．噴射口
８．  支持枠体
９．  蓋体
【図１】
0003890363.tif 000002
【図２】
0003890363.tif 000003
【図３】
0003890363.tif 000004
【図４】
0003890363.tif 000005
【図５】
0003890363.tif 000006